(57)【要約】  【課題】放電ランプを備えた照明器具の据付け高さを減少する。  【解決手段】扁平コイルとして形成された放電管（３）と、放電ランプ（２）を点灯するために設けられ電気接点により放電管（３）に接続される電子点灯器（４）とを有する放電ランプ（２）を備えた照明器具において、電気絶縁性の材料から形成され板状の接点保持体（１２）が放電管（３）に接続され、接点保持体（１２）が少なくとも部分的に放電管（３）上を延在しており、接点保持体（３）に放電管（３）の電気接点（１３、１４、２２、２３）が配置され、電気接点は放電管（３）の端部範囲から間隔を置いて点灯器（４）の方向に延びている。【選択図】図１
2012160451.tif 000002
【特許請求の範囲】
【請求項１】
扁平コイルとして形成された放電管（３）と、放電ランプを点灯するために設けられ電気接点により放電管（３）に接続される電子点灯器（４）とを有する放電ランプ（２）を備えた照明器具において、
電気絶縁性の材料から形成される板状の接点保持体（１２）が放電管（３）に接続され、この接点保持体（１２）が少なくとも部分的に放電管（３）上を延在しており、この接点保持体（１２）に放電管（３）の電気接点（１３、１４、２２、２３）が配置され、これらの電気接点は放電管（３）の端部範囲から間隔を置いて点灯器（４）の方向に延在していることを特徴とする照明器具。
【請求項２】
接点保持体（１２）が条片として形成され、放電管（３）の全直径にわたって延在していることを特徴とする請求項１記載の照明器具。
【請求項３】
電気接点が、接点ピン（１３、１４、２２、２３）として形成されていることを特徴とする請求項１または２記載の照明器具。
【請求項４】
接点ピン（１３、１４、２２、２３）が接点保持体（１２）の表面に対して垂直方向に延び、特に放電管（３）が延在する平面に対して垂直方向に延びていることを特徴とする請求項３記載の照明器具。
【請求項５】
接点保持体（１２）が一平面上に延在しており、放電管（３）と点灯器（４）、特に点灯器（４）の回路担体（６）との間に配置されることを特徴とする請求項１から４の１つに記載の照明器具。
【請求項６】
接点受け（７、８、２５、２６）が点灯器（４）に配置され、接点受けは点灯器（４）のケース（５）を通って放電管（３）の方向に外側に延び、接点保持体（１２）の電気接点（１３、１４、２２、２３）を収容するように形成されることを特徴とする請求項１から５の１つに記載の照明器具。
【請求項７】
放電管（３）の端部（１８、１９）と電気接点（１３、１４、２２、２３）との間に、電気導線（１９、２０）が形成されることを特徴とする請求項１から６の１つに記載の照明器具。
【請求項８】
放電管（３）が、一平面内に延在していることを特徴とする請求項１から７の１つに記載の照明器具。
【請求項９】
電気接点（１３、１４、２２、２３）が、専ら軸方向の運動により点灯器（４）の接点受け（７、８、２５、２６）に挿入されることを特徴とする請求項１から８の１つに記載の照明器具。
【請求項１０】
電気接点（１３、１４、２２、２３）が、軸線方向の運動および縦軸（Ａ）を中心とする回転運動により、点灯器（４）の接点受け（７、８、２５、２６）に挿入されることを特徴とする請求項１から８の１つに記載の照明器具。
【請求項１１】
放電管（３）が、接点保持体（１２）に配置された保持部材（２４）により点灯器（４）のケース（５）に取付けられることを特徴とする請求項１から１０の１つに記載の照明器具。
【請求項１２】
点灯器（４）と放電管（３）との間に反射器（１１）が配置され、反射器（１１）は点灯器（４）のケース（５）に特に係止部材またはスナップ止め部材の形の機械的部材（９）により着脱自在に取付けられることを特徴とする請求項１から１１の１つに記載の照明器具。
【請求項１３】
反射器（１１）がケース（５）と間隔を置いて配置され、特に反射器（１１）をケース（５）に取付けるのに用いられる機械的保持部材（９）が反射器（１１）とケース（５）との間の間隔を調整するための間隔片としても形成されることを特徴とする請求項１２記載の照明器具。
【発明の詳細な説明】
【技術分野】
【０００１】
本発明は、扁平コイルとして形成された放電管を有する放電ランプを備えた照明器具に関する。この照明器具は、放電ランプを点灯するために設けられ、電気接点で放電管に接続されている電子点灯器を有する。
【背景技術】
【０００２】
一平面内にコイル状に巻かれた放電管を有する放電ランプは既に知られている。この種のランプは、しかしその形状のため放電管の両端に電気接点を取り付けることが必要であり、そのため従来はこのように両端に電気接点を取り付けることだけが可能であった。電気接点は、この場合いわば扁平コイルの走行方向に端部から突出し、従って扁平コイルの平面内に延在している。これにより点灯器との電気接触は制限され、それゆえ照明器具据付け高さの観点からみて不利である。特に、これにより口金ソケット系の実現は極めて特殊の形でのみ可能であり、それ故照明器具のコンセプト上の設計は制限される。これは、電気接触のためにピンをソケット接点上に置かなければならず、これはこの種のランプにおいて、常に生じるランプ端部の取り付け位置の誤差により困難であり補償を必要としていた。
【発明の概要】
【発明が解決しようとする課題】
【０００３】
本発明の課題は、扁平コイルとして形成された放電管を有する放電ランプを備えた照明器具において、公知の扁平ランプよりもその据付け高さが減少されたものを提供することにある。
【課題を解決するための手段】
【０００４】
この課題は、請求項１の特徴を有する照明器具により解決される。
【０００５】
本発明による照明器具は、扁平コイルとして形成された放電管を有する放電ランプを備える。放電ランプは、従って扁平ランプとして形成され、これは放電管が一平面内に、もしくは特にほぼ一平面内に延在していることを意味する。そのほかに、放電ランプを点灯するために形成され、電気接点で放電管に接続される電子点灯器も設けられる。照明器具、特に放電ランプは電気絶縁材料から形成され放電管に接続される板状の接点保持体を有する。接点保持体は、少なくとも部分的に放電管上を延びており、接点保持体には放電管の電気接点が配置され、これらの電気接点は放電管の端部から離れて位置決めされており、点灯器の方向に延びている。このような構成により、特にコンパクトなそしてその据付け高さが最小化された照明器具が形成できる。放電管の電気接点は、従ってもはや直接両端部にあるのではなく、もしくは放電管の両端部から突出しておらず、そこから離れて別体の接点保持体に配置される。これにより、まさに扁平ランプのコンセプトを持つ照明器具において点灯器との改善された電気接続が生じるので、照明器具の据付け高さを小さくすることができる。しかし、また特に口金ソケット系の可変的な形態も達成可能となる。
【０００６】
接点保持体は条片として形成し、放電管の全直径にわたって延在するようにすると好適である。条片は、放電管の面的に円形の拡がりの中心点を通るように配置し、それによって放電管上に相応して配置すると好適である。これにより、放電管との機械的および電気的接続に関して特に安定した構成が可能になる。このような構成により、場合によっては何回も巻回される放電管の位置安定性も得られるので、接点保持体は放電管の機械的な安定化保持体としても作用し、これにより多重機能性を有するものとして形成できる。
【０００７】
接点保持体は、合成材料から一体に形成されると好適である。接点保持体は、放電管と特定な個所、たとえばランプの両端部で貼付けにより接続されると特に有利である。
【０００８】
接点保持体に配置されている放電管の電気接点が、接点ピンとして形成されると好適である。接点は接点保持体の面に垂直方向に、すなわち照明器具の縦軸に平行に配置されると特に有利である。これは従来の放電管における接点の配置と完全に逆行するもので、本発明による電気接点は、いわば先行技術における従来の構成による電気接点の配向とは実質的に垂直方向に延在することになる。
【０００９】
接点保持体は一平面上に延在して放電管と点灯器、特に点灯器の回路担体との間に配置されると有利である。接点保持体のこのような形態および配置により、さらに据付け空間の最小化が達成される。照明器具は、それ故極めて薄く扁平に据付けられる。
【００１０】
電気接点受けは点灯器に配置し、点灯器のケースから外部に接点保持体の方向に延び、接点保持体に配置されている電気接点を収容するように形成されると好適である。このような接点受けは、接点保持体に接点ピンとして形成された電気接点を装入することのできる簡単な差込ブッシュとすることができる。
【００１１】
放電管の両端部と電気接点との間の接点保持体の表面に平行にまたは表面上に電気導線を形成し、放電ランプのリード線を接点に接続するようにすると特に有利である。導線の引き出しは、従ってさらに放電管の両端部においてリード線を介して行われ、この場合電気接点はこれから離れた位置に設けられ、導線を介して相応する電気接続が得られるようにする。次いで、このような電気導線を接点保持体上に取付けて案内し、一方では機械的に安定した位置決めができるようにし、他方では損傷および電気的な接触の危険性から保護できるように配置すると好適である。
【００１２】
放電管すなわち扁平コイルは、一平面上に延在するようにすると有利である。また放電管は若干円錐の形状をとるようにすることもできる。
【００１３】
接点保持体の電気接点と点灯器の接点受けとの間の電気接続は、もっぱら軸方向の動きにより調整可能にすると有利である。従って、純粋な軸方向の上下運動により電気接点は接点受けに導入可能になる。
【００１４】
代替的な構成として、接点保持体の電気接点を軸方向運動および照明器具の縦軸を中心とする回転運動により、点灯器の接点受けに挿入可能にすることもできる。
【００１５】
放電管は、接点保持体に配置された保持部材とともに点灯器に取付けることができるようにすると好適である。保持部材は、たとえば装着タップまたは掛止部材などとすることができる。
【００１６】
接点保持体は、少なくとも放電管に向いた側が良好な反射特性を有する拡散反射性の材料から形成することができる。
【００１７】
点灯器と放電管との間に反射器を配置すると好適である。反射器は、点灯器のケースに接続される。特に、掛止部材またはスナップ止め部材の形の機械的部材により、反射器はケースに着脱自在に取付けられる。これにより、極めて扁平に据付けることのできる軽量の照明器具が実現できる。照明器具は、これにより特に労力を要せずに部材を最小にして壁に、たとえば天井に、取付けることが可能になる。
【００１８】
聡明器具は、下向きに照らす照明器具、いわゆるダウンライトとして形成すると有利である。まさに、このような形態ではコンパクトな構成と軽量性が有利であるからである。
【００１９】
機械的部材は、少なくとも部分的に可逆的に変形可能な材料から形成される。このような形態としては、たとえばきのこ状のものが可能である。これにより、反射器内の開口への装着および保持が特に簡単になり、しかも信頼性および確実性が得られる。
【００２０】
反射器は、ケースから離れて配置されると有利である。これにより、熱的な要求にこたえることができる。なぜなら、反射器とケースとの間の空気の循環が保証されるからである。特に、ケースへの反射器の取付けに用いられる機械的部材は、反射器とケースとの間の間隔を調整するためのスペーサとして形成すれば、間隔は一義的に調整可能となり永久的に保持することができる。さらに、これによりこの機械的部材は多重機能性を有し、従って他の機能のための付加的な部材を省略することができる。
【００２１】
本発明のほかの特徴は、本願の特許請求の範囲、図面および図面の説明から明らかにされる。上記の明細書に述べた特徴およびこれらの特徴の組み合わせ並びに図面に単独でおよび／または図面の説明で単独に示された特徴およびこれらの特徴の組み合わせは、それぞれ提示された組合せばかりではなく本発明の枠を逸脱することなしに他の組み合わせまたは単独使用も可能である。
【００２２】
本発明の実施例を以下に概略図を用いて詳細に説明する。
【図面の簡単な説明】
【００２３】
【図１】図１は放電ランプを装着した本発明の照明器具の第１の実施例を示す。
【図２】図２は図１の照明器具に配置された接点保持体を備えた放電管の平面図である。
【図３】図３は点灯器からランプを外した状態の照明器具の下面図である。
【図４】図４は図３に示す照明器具の各部の簡略化された断面図である。
【発明を実施するための形態】
【００２４】
各図において、同一部材または機能が同じ部材は同じ符号を付けられている。
【００２５】
図１は、放電ランプ２が装着された照明器具１の概略断面図である。放電ランプ２は放電管３を有しており、この放電管は管状に形成され一平面上に二本巻きの管として形成され、その両端部には突出したリード線のワイヤが配置され、さらに放電管３の両端部で接点保持体１２が取付けられ、これには接点ピン１３、１４、２２および２３が取付けられる。放電管３は、従って一平面内に延在する扁平コイルとして形成される。放電ランプ２は、従って本発明の枠内では扁平ランプとも呼ばれる。さらに、照明器具１の縦軸Ａの方向には放電管３の後方に電子点灯器４が配置されている。電子安定器として形成された点灯器４はケース５を有する。この中には、台座すなわち回路担体６が配置される。回路担体６には複数個の電気接点受け７，８が形成され、これらは放電管３の方向にケース５を突出して外部に延びている。放電管３側のケース５の外側面には、機械部材９，１０が形成される。この部材によって点灯器４もしくはそのケース５と、反射器１１との間にある程度の間隔が作られる。さらに、この部材によりケース５に反射器１１を取付けることもできる。好適には、この種の４つの部材９、１０をきのこ状に形成し、掛かり止めまたはスナップ部材として反射器１１の開口に係合するようにする。反射器１１は、従ってケース５に直接接することはない。その間に生じる空隙は、放電ランプ２および点灯器４の熱を放出するのに役立つ。ケース５は、ほかに熱導出用の開口を持つこともできる。
【００２６】
点灯器４と放電管３の間には、放電ランプ２との一体構成部品として合成材料製の板状の条片状の接点保持体１２が配置される。電気接点保持体１２は、端部範囲１８、１９から突出するリード線の接触が生じないように、放電管３に端部範囲１８，１９で貼付けられる。電気接点保持体１２は一体に形成され、接点ピンとして形成された接点１３、１４および２２、２３を有する。図示のように、これらの接点１３、１４、２２、２３は縦軸Ａに平行に延びており、図１では既に接点受け７，８の中に装着もしくは挿入されている。図１の実施例では示していないが、さらに別の２つの接点ピンと同様に図示してない別の２つの接点受けを設けることもできる。
【００２７】
下側には、光透過性のカバー１５が設けられる。ねじ１６、１７によって、照明器具１は壁または天井に取付けることができる。
【００２８】
接点保持体１２は、少なくともその放電管３に向いた側が拡散反射性の材料から形成される。
【００２９】
接点保持体１２は、従って部分的に放電管３の上に延在する。図１の実施例では、放電管３の電気接点１３，１４は従って放電管３の上には直接配置されず、それとは別体の接点保持体１２の上に配置される。
【００３０】
照明器具の各部の寸法例が、図１に示されている。しかし、それらの寸法は唯一の必然的なものとしてではなく、並びに結論的なものとして解釈すべきではない。しかし、図示の寸法は、本発明による照明器具およびランプのデザインもしくは据付け深さが、通常は２００ｍｍ以上の据付け深さを有する従来のダウンライトに比べて極めてコンパクトであることを明らかにする。
【００３１】
図２は、放電管３の平面図でコイル状の巻き体が一平面上に延在しているのが見て取れる。放電管３の端部範囲１８、１９からは導線２０、２１が突出しており、これらは次いで接点保持体１２に導かれ、垂直方向に図平面から突出している接点ピン１３、１４並びに２２、２３に接続される。導線２０、２１は、上述のように電流リード線とすることができる。しかし、また電流リード線と接続される別個の補助的な導線であってもよい。接点ピンの形状の電気接点１３、１４、２２および２３は、さらに放電管３のほぼ円状の平面の中心点Ｍの方向に接点保持体１２の内側に配置することもできる。
【００３２】
さらに、例えば保持部材２４が接点保持体１２上に配置されるが、図の位置はあくまで例示的なものである。この保持部材２４により、放電管３を接点保持体１２および放電ランプ２とともにケース５に取付けることができる。
【００３３】
図３は、点灯器４のケース５の放電管３に向いた下面の平面図である。図３は、従って放電ランプ２と反射器１１を取外した状態での軸Ａに沿う照明器具１の内部を示す。接点受け７、８のほかに、この図では接点受け２５、２６も示されている。さらに、保持部材２４の受け２７も示されている。
【００３４】
図４は、図３のＩＩＩ−ＩＩI線に沿った概略断面図である。接点受け７、８、２５、２６並びに保持部材受け２７を有する接続部分２８が見て取れる。さらに、図４には照明器具１の各部の例示的寸法がｍｍで同様に示されている。
【００３５】
照明器具１の製造は、たとえばまず回路担体６がケース５に取付けられることから始められる。次いで、ケース５のカバーが取付けられ、続いて電気接続部材２９（図１）が取付けられる。続いて、反射器１１が取付けられ、次いで放電ランプ２が装着される。続いて、カバー１５がかぶせられる。
【符号の説明】
【００３６】
１          照明器具
２          放電ランプ
３          放電管
４          点灯器
５          ケース
６          回路担体
７、８      接点受け
９、１０    機械部材
１１        反射器
１２        接点保持体
１３、１４  接点
１５        カバー
１６、１７  ねじ
１８、１９  放電管端部
２０、２１  リード線
２２、２３  接点
２４        保持部材
【図１】
2012160451.tif 000003
【図２】
2012160451.tif 000004
【図３】
2012160451.tif 000005
【図４】
2012160451.tif 000006